(57)【特許請求の範囲】
【請求項１】
携帯電話機のＳＩＭカード取り付け構造であって、
前記携帯電話機の表面側筐体の背面部に設けられ、ＳＩＭカードがはめ込まれるように形成されたＳＩＭカード取り付け用の有底の穴部と、
前記穴部の底に、前記ＳＩＭカードの電極に対向する位置に取り付けられた弾性部材で成るＳＩＭカード用電極端子と、
一端が前記穴部の端部に取り付けられて他端が前記穴部の前記ＳＩＭカード用電極端子が設けられている部分の上方に位置し、弾性的に前記ＳＩＭカードを押圧する弾性部材でなる押さえ部とを有し、
前記押さえ部の一端側から切り欠きが形成され、該切り欠きを通して前記ＳＩＭカードの端面が露呈するようになっているＳＩＭカード取り付け構造。
【請求項２】
前記押さえ部は、プラスティック部材である請求項１に記載の構造。
【請求項３】
前記押さえ部の一端は、当該携帯電話機の縦方向の、前記ＳＩＭカード取り付け用の穴部の端部に、縦方向板ばねとして働くように取り付けられている、請求項１または２に記載の構造。
【請求項４】
前記押さえ部の一端は、当該携帯電話機の横方向の、前記ＳＩＭカード取り付け用の穴部の端部に、横方向板ばねとして働くように取り付けられている、請求項１または２に記載の構造。
【請求項５】
請求項１乃至４のいずれかに記載のＳＩＭカード取り付け構造を有する携帯電話機。
【発明の詳細な説明】
【０００１】
【発明の属する技術分野】
本発明は、携帯電話機のＳＩＭカード取り付け構造に関する。
【０００２】
【従来の技術】
図４は従来のＳＩＭカード取り付け構造の構成を示す図で（ａ）は平面図、（ｂ）は側断面図である。
図４のＳＩＭカード取り付け構造は、携帯電話機の表面側筐体の背面を示す図で、裏面側筐体（図示せず）は、回転軸１１の周りに回転してSIMカード装着部１０に重なるように構成されている。電話機能使用時には、裏面側筐体をSIMカード装着部１０に重ねて止め具２４でロックする。図４は、裏面側筐体が取り外されてＳＩＭカードが露出した状態を示している。ここで、表面側とは、文字入力ボタンが配列している側である。図示されていない裏面側筐体には、電池が収納されている。
【０００３】
図４の上部に示されているマイク収納部２０は、表面側筐体にねじ止めされてその中にマイクロフォンが収納されている。図の参照番号２１および２２は、そのねじを示し、参照番号２３はマイクロフォンの音声発射用の開口である。
【０００４】
SIMカード装着部１０には、底のある穴１３が設けられていてＳＩＭカード１は穴１３に入れられる。ＳＩＭカード１はロック金具１２によって上方から押さえられる。このロック金具１２は、図中左右方向に摺動するように構成されている。また、穴１３の一方の端部に続いてロック金具１２の受け部１４が形成されている。
ＳＩＭカード１を装着するときには、ロック金具１２を受け部１４上にスライドさせて穴１３中にカードを挿入する。次に、ロック金具１２を受け部１４からＳＩＭカード１上にスライドさせて該カードを押さえる。穴１３の底部には、ＳＩＭカード１用の接触端子部１５が設けられている。端子部１５は、ＳＩＭカード１の電極と対向する位置に取り付けられている。
図中、参照番号１６は電池の電極を示し、裏面側筐体がSIMカード装着部１０上に取り付けられたときに、その内部に収容されている電池の電極と接続される。図中、＋および−記号は、電池の極性を示す。
【０００５】
【発明が解決しようとする課題】
前掲の従来のSIMカードの取り付け構造は、別ピースのロック金具１２のような専用の取り付け部品を用いていた。その他、開閉式の取り付けホルダーなど専用の取り付け部品を用いていた。
しかし、この手法では、その部品によるコストアップは勿論のこと、その部品を取りつけるための構造の複雑さや、その構造を構成するための空間を必要とし小型、軽量化の阻害要因と成っていた。
本発明の目的は、特別の専用部品を使用せず安価で、かつ、装着状態の確認と取り外しを容易に行うことができるＳＩＭカード取りつけ構造を提供することにある。
【０００６】
【課題を解決するための手段】
上記の目的を達成するために、本発明の携帯電話機のＳＩＭカード取り付け構造は、前記携帯電話機の表面側筐体の背面部に設けられ、ＳＩＭカードがはめ込まれるように形成されたＳＩＭカード取り付け用の有底の穴部と、前記穴部の底に、前記ＳＩＭカードの電極に対向する位置に取り付けられた弾性部材で成るＳＩＭカード用電極端子と、一端が前記穴部の端部に取り付けられて他端が前記穴部の前記ＳＩＭカード用電極端子が設けられている部分の上方に位置し、弾性的に前記ＳＩＭカードを押圧する弾性部材でなる押さえ部とを有し、
前記押え部の一端側から切り欠きが形成され、該切り欠きを通して前記ＳＩＭカードの端面が露呈するようになっていることを特徴とする。
【０００７】
押さえ部は、プラスティック部材で構成することができる。
【０００９】
１つの実施態様として、押さえ部の一端は、当該携帯電話機の縦方向の、ＳＩＭカード取り付け用の穴部の端部に、縦方向板ばねとして働くように取り付けられることができる。
【００１０】
他の実施態様として、押さえ部の一端は、当該携帯電話機の横方向の、前記ＳＩＭカード取り付け用の穴部の端部に、横方向板ばねとして働くように取り付けられることができる。
【００１２】
【作用】
このように、本発明携帯電話のＳＩＭカード取り付け構造は特別の専用部品を使用せずに筐体の一部にプラスチックのバネを一体成形で取り付けることによって、コストアップ無しにＳＩＭカードを取りつけるための安価な構造を提供することができる。また、この構造におけるSIMカードの装着状態の確認と取り外しの操作もバネ構造に穴や切り欠きを設けることによって容易かつ簡単に行うことができる。
【００１３】
【発明の実施の形態】
本発明の携帯電話のＳＩＭカード取り付け構造は、図４のロック金具１２のような、筐体から独立したSIMカード取り付け用部品を使うこと無く、筐体を構成する部品のみで取り付けられ、取り外しの際も簡単に取り外せるように構成されている。
図１は、本発明のＳＩＭカード取り付け構造の第１の実施形態の全体構成を示す図で（ａ）は平面図、（ｂ）は側断面図である。図２は、第１の実施形態の要部の構成を示す部分拡大図で（ａ）は平面図、（ｂ）は側断面図である。図中、図４の部品と同一の部品については参照番号を省略する。
【００１４】
図1および図２を参照すると、本発明による部品構成と取り付け構造のSIMカード装着部１０は、携帯電話機の表面側筐体の背面部に設けられ、ＳＩＭカード１がはめ込まれるように形成されたＳＩＭカード取り付け用の有底の穴部５と、一端が前記筐体の背面部に一体成形で取り付けられて穴部５の上方に延び、弾性的にＳＩＭカードを押圧する弾性部材でなる押さえ部３とを備えている。また、穴部５の底部に、ＳＩＭカード１に電源を供給する電極部に対向する位置に取り付けられた弾性部材に成るＳＩＭカード用接触端子２とを備えている。
【００１５】
本実施形態においては、押さえ部３の一端は、当該携帯電話機の縦方向の、ＳＩＭカード取り付け用の穴部５の端部に、縦方向板ばねとして働くように取り付けられている。また、押さえ部３は、プラスティック部材で構成され、該押さえ部３に適正な弾性を与え、かつ、ＳＩＭカードの操作を容易にするための切り欠き部４を備えている。
【００１６】
このように、表面側筐体に一体成形で形成され、切り欠き部４をもつプラスティック板ばねの押さえ部３によって、SIMカード１は、接触端子２へ適切な圧力で押し付けられる。
また、押さえ部３の中央部に穴を開けたり、片側または両側の一部を切り欠きSIMカードの端面が見える構造とし適切な取り付け状態の確認と取り外しの際に指またはそれに代る物で容易に外せる構造として取り外しの際の利便性をもたせている。
このようにして、特別な部品を使用せずに従来のＳＩＭカード取り付け構造と同等の効果が得られ、かつ、容易にSIMカードの装着状態確認と取り外しが行うことができる。
【００１７】
次に、本発明のＳＩＭカード取り付け構造の第２の実施形態について説明する。
第１の実施形態においては、押さえ部は、縦方向板ばねとして働くように形成されているが、本実施形態においては、押さえ部の一端は、当該携帯電話機の横方向の、ＳＩＭカード取り付け用の穴部の端部に、横方向板ばねとして働くように、筐体に一体構成で取り付けられている。
【００１８】
図３は、本実施形態の要部の構成を示す部分拡大図で（ａ）は平面図、（ｂ）は図（ａ）のＡＡ’断面図、（ｃ）は図（ａ）のＢＢ’断面図である。図３においても、図２と同一の部品には同一の参照番号をつけて説明を省略する。
本実施形態においても押さえ部３Ａを、プラスティック板ばねとして筐体に一体構成で形成することができる。押さえ部３Ａに設けられた穴や切り欠き４Ａによって押さえ部３Ａの弾性特性を適宜に設定することができると共に、縦方向の取り付けと同様に他の特別な部品を用いること無しに端面が見えるように開けられた穴や切り欠き４ＡによってＳＩＭカード１の位置を確認することができる。これらの穴や切り欠き４Ａによって、ＳＩＭカード１の所定位置へのセット操作が容易になる。
【００１９】
【発明の効果】
従来は図４に示すように、押さえ部を別ピースで形成し、ＳＩＭカードをセットした後にスライドさせて、ＳＩＭカードに対向して設置された電極端子に押さえるような構造をとっていた。この場合別ピースが必要であることに加えＳＩＭカードの取り外しの際には本体を裏返しにしたり、SIMカード周囲の隙間より爪を入れてこじあけるなど取り外しがやや面倒であった。
本発明によれば筐体と一体となっている押え部にＳＩＭカードを挿入し、ＳＩＭカードの端面が見えるように開けられた穴または切り欠きによってＳＩＭカードの装着状態を確認可能である。その結果、ＳＩＭカードを所定の位置にセットする際にも、取り外しの際もこの穴や切り欠きから指やそれに代る物で押すことにより容易に操作することが出来る。
【図面の簡単な説明】
【図１】本発明のＳＩＭカード取り付け構造の第１の実施形態の全体構成を示す図で（ａ）は平面図、（ｂ）は側断面図である。
【図２】第１の実施形態の要部の構成を示す部分拡大図で（ａ）は平面図、（ｂ）は側断面図である。
【図３】第２の実施形態の要部の構成を示す部分拡大図で（ａ）は平面図、（ｂ）は図（ａ）のＡＡ’断面図、（ｃ）は図（ａ）のＢＢ’断面図である。
【図４】従来のＳＩＭカード取り付け構造の構成を示す図で（ａ）は平面図、（ｂ）は側断面図である。
【符号の説明】
１  ＳＩＭカード
２  接触端子
３、３Ａ  押さえ部
４、４Ａ  切り欠き
５  穴部
６  接触端子部
１０  SIMカード装着部
１２  ロック金具
１３  穴部
１４  受け部
１５  接触端子部
１６  電池用電極
２０  マイク収納部
２１、２２  ねじ
２３  マイクロフォンの音声発射用開口
２４  止め具
【図１】
0004214350.tif 000002
【図２】
0004214350.tif 000003
【図３】
0004214350.tif 000004
【図４】
0004214350.tif 000005